(57)【要約】【課題】  直下照度を高くしながらも、小型化を実現する電気スタンドのセードを提供することである。【解決手段】  セード本体１７には、天板部２５ａと、この天板部２５ａの長手方向に直交する幅方向の両側に設けた補助部２５ｂとからなる反射板２５を備え、上記補助部２５ｂは、天板部２５ａの幅方向端を通る鉛直線Ｎに対して、天板部２５ａの内方に折り曲げ、この補助部２５ｂに放射された放射光が天板部２５ａに向かって反射する構成にした電気スタンドのセード。【選択図】  図４
2007194135.tif 000002
【特許請求の範囲】
【請求項１】
セード本体には、天板部と、この天板部の長手方向に直交する幅方向の両側に設けた補助部とからなる反射板を備え、上記補助部は、天板部の幅方向端を通る鉛直線に対して、天板部の内方に折り曲げ、この補助部に放射された放射光が天板部に向かって反射する構成にした電気スタンドのセード。
【請求項２】
上記天板部は、幅方向の断面形状を円弧にした請求項１記載の電気スタンドのセード。
【請求項３】
セード本体先端に、長手方向にスライド可能なスライド板を設けた請求項１又は２に記載の電気スタンドのセード。
【発明の詳細な説明】
【技術分野】
【０００１】
この発明は、直下照度を高めた電気スタンドのセードに関する。
【背景技術】
【０００２】
この種の電気スタンドとして、例えば特許文献１のような電気スタンドが従来から知られているが、このような従来の電気スタンドについて、図７〜図９を用いて説明する。
図７に示す電気スタンド１は、アーム２の一端を台座３に固定するとともに、他端にセード本体４を固定している。このセード本体４は、その断面を半筒形状にし、セード本体４の描く円弧内すなわち内側に、光源５を固定している。このようにセード本体４の円弧内に光源５を固定することによって、光源５のほぼ全部を、図８に示すように、セード本体４で覆うようにしている。
なお、セード本体４の内面は、光源５から放射された放射光を反射する反射板としての機能も兼ね備えている。
また、アーム２は、回動部２ａ，２ａを有しており、この回動部２ａ，２ａが回動することで、セード本体４及び光源５の位置を調整することができる。このように構成される従来の電気スタンド１は、主に卓上で用いられ、光源５を照射対象に向けることで照射対象を明るく照らすことができる。
【特許文献１】特開平１１−１６２２１３
【発明の開示】
【発明が解決しようとする課題】
【０００３】
上記電気スタンド１を卓上で用いた場合、光源５から放射された放射光は、図８に示すように、直接照射対象に到達する実線Ｘで示した光、セード本体４の天井面４ａなどに反射してから照射対象Ｍに到達する実線Ｙで示した光、あるいは、セード本体４の側壁面４ｂに反射する点線Ｚで示した光がある。
ところが、壁面４ｂに向かって点線Ｚ方向に照射された光は、照射対象Ｍから外れた方向へ反射するので、照射対象Ｍを照らす光にはならない。したがって、この点線Ｚで示した光は、照射対象Ｍを効率よく照らすというテーマの中では、エネルギーロスとなるとともに、そのエネルギーロスの分だけ、照度が低くなってしまう。
【０００４】
そのために、従来の電気スタンド１では、光源５の直下に照射対象Ｍを位置させた場合、光源５から放射された放射光のうち、実線Ｘ，Ｙの軌跡をたどる放射光のみが有効となり、点線Ｚの軌跡をたどる放射光は、照射対象の照射に寄与しないものとなってしまう。言い換えれば、従来の電気スタンド１は、光源５の直下に対する照度、すなわち直下照度が低いため、小さなセード本体で狭い範囲を効率よく照射する目的を達成できないという問題があった。
【０００５】
なお、直下照度を高めるために、反射板として機能するセード本体４の内側を凸凹形状にし、天井面４ａで反射された光を効率よく照射対象Ｍに向かわせることが従来から知られている。しかし、上記のようにセード本体４の内面を凸凹形状にしたとしても、壁面４ｂに向かう放射光のロスを完全に防ぐことはできない。したがって、セード本体４の内側に凸凹を形成しただけでは、直下照度を高めるのに未だ不十分である。
【０００６】
また、上記の問題に鑑み、図９に示すセード本体６のように、長手方向に直交する幅方向の曲率を大きくして、卓上に向かう放射光を、光源５の直下に集中させる手段がある。このように、セード本体６の曲率を大きくすれば、入射角と反射角との関係により、卓上と水平方向に向かう放射光を、光源５の直下に到達させ、放射光の散逸を低減するとともに、直下照度を高めることができる。
しかし、セード本体６の幅方向の曲率を大きくすれば、その分、セード本体６が幅方向に対して大型化してしまう。このように、セード本体６が大型化すれば、当該電気スタンド１を使用している者の頭にセード本体６が当たったり、あるいは視界を狭くしたりするので、使用者に、煩わしさを感じさせてしまうという問題があった。
【０００７】
この発明の目的は、直下照度を高くしながらも、小型化を実現する電気スタンドのセードを提供することである。
【課題を解決するための手段】
【０００８】
第１の発明は、セード本体には、天板部と、この天板部の長手方向に直交する幅方向の両側に設けた補助部とからなる反射板を備え、上記補助部は、天板部の幅方向端を通る鉛直線に対して、天板部の内方に折り曲げ、この補助部に照射された光が天板部に向かって反射する構成にした点に特徴を有する。
第２の発明は、天板部における幅方向の断面形状を円弧にした点に特徴を有する。
第３の発明は、セード本体先端に、長手方向にスライド可能なスライド板を設けた点に特徴を有する。
【発明の効果】
【０００９】
第１〜第３の発明によれば、光源から補助部に向かう放射光を天板部に反射させ、天板部で反射した放射光を直下に集中させるので、放射光の散逸を低減して、直下照度を高めることができる。
また、放射光を反射させる補助部が、天板部の幅方向端を通る鉛直線よりも、天板部の内方に折り曲げられているため、直下照度を高めても、高さ方向、幅方向どちらの幅も非常に小さくすることができる。このように、反射板の高さ及び幅を小さくすることができれば、電気スタンドの小型化を実現することができる。
【００１０】
また、第３の発明によれば、セード本体先端に、長手方向にスライド可能なスライド板を設けたので、セード先端を、光源の先端近くまで位置させても、安全かつ確実に光源を取り外すことができる。
したがって、セードを幅方向に小型化することに加えて、長手方向にも小型化することができる。
【発明を実施するための最良の形態】
【００１１】
図１〜図６を用いて、この実施形態の電気スタンドについて説明する。
図１に示すように、この実施形態の電気スタンドは、固定部材１０を机等に挟むことで固定される。そして、固定部材１０の上方には、連結部材１１が設けられ、この連結部材１１に、アーム１２の一端が回動自在に連結されている。また、アーム１２の他端には、連結部材１３が回動自在に設けられ、この連結部材１３に、アーム１４の一端が回動自在に連結されている。そして、アーム１４の他端には、支持部材１５の一端が回動自在に連結されるとともに、支持部材１５の他端に、カバー１６を取り付けるとともに、このカバー１６にセード本体１７を組み付けている。なお、上記アーム１２，１４等によって、当該スタンドの脚部を構成するものである。また、この実施形態では、当該スタンドを、固定部材１０を介して固定するようにしたが、この発明としては、例えば卓上に置くタイプのものでもよいこと当然である。
なお、図１中の符号Ｓはスプリングを内蔵した伸縮部材であり、連結部材１１とアーム１４との間に伸縮自在に介在している。
【００１２】
図２は、図１中の点線部分をｘ方向から見た図であり、図３は、図２の状態から、カバー１６及び、後述するスライド板２７を取り外した状態を示すものである。図２及び図３に示すように、カバー１６及びセード本体１７内に、ソケット１８を固定するとともに、このソケット１８に、コネクター１９ｂを差し込み、このコネクター１９ｂと一体の光源１９ａを、セード本体１７内に固定するようにしている。なお、この実施形態におけるコネクター１９ｂは、その内部にインバーターを内蔵したものである。また、この光源１９ａを取り外すときには、光源１９ａを図２，３の左方向に引き抜くことで、光源１９ａと一体に構成されたコネクター１９ｂを、ソケット１８から抜くことができる。
【００１３】
また、上記のように、コネクター１９ｂをソケット１８に差し込んだとき、上記コネクター１９ｂとソケット１８との間に、幅Ｌを保った溝２０が形成される構成にしている。そして、この溝２０は、セード本体１７に直交する方向に円弧を描くようにしている。
【００１４】
そして、セード本体１７であって、ソケット１８を固定した部分には、カバー１６を設けているが、このカバー１６は、その長手方向に直交する方向の断面形状を円弧状にしている。このようにしたカバー１６は、コネクター１９ｂとソケット１８とを覆うものである。さらに、このカバー１６には、図３からも明らかなように、長孔２１を形成しているが、カバー１６をセード本体１７に取り付けた状態で、上記長孔２１の長軸が、上記溝２０と平行になる関係にしている。
【００１５】
上記のようにしたカバー１６の長孔２１には、カバー１６の外側から連結ピン２２ａを貫通させている。そして、この連結ピン２２ａには一対の挟持片２２ｂ，２２ｃを設け、これら挟持片２２ｂ，２２ｃで、カバー１６を挟み込むとともに、連結ピン２２ａは、上記長孔２１に沿って相対移動可能で、しかも、任意の位置で停止させられるようにしている。このようにした連結ピン２２ａは、前記した支持部材１５を介して、当該スタンドの前記脚部に固定する。したがって、セード本体１７は、上記脚部と相対的に回りながら、角度を自由に調整することができる。
【００１６】
また、上記カバー１６には孔２３を形成しているが、この孔２３には、回転体２４を回転自在に嵌めている。そして、この回転体２４は、頭部２４ａと、頭部２４ａから垂直に突出した後、頭部２４ａと水平方向に直角に折れ曲がった爪部２４ｂとからなる。なお、頭部２４ａには、コイン溝２４ｃが形成されている。上記のようにした爪部２４ｂの長さは、前記溝２０の幅Ｌよりも長くしている。したがって、爪部２４ｂを溝２０に沿って、その溝２０にはめた状態から、回転体２４を強制的に回せば、上記爪部２４ｂが溝２０の幅方向に回るとともに、その回転力で、コネクター１９ｂをソケット１８から抜くことができる。
【００１７】
図４は、図２におけるIV―IV線断面図であるが、図４に示すように、上記セード本体１７は、緩やかな円弧を描く天板部１７ａと、この天板部１７ａの両端から、この両端を通る鉛直線Ｎに対して内方に折り曲げた補助部１７ｂとからなる。そして、天板部１７ａと補助部１７ｂとで囲まれる範囲内に、光源１９ａが、ほぼ収容される構成にしている。
そして、セード本体１７の内側には、反射板２５が設けられている。この反射板２５は、セード本体１７と同様に、緩やかな円弧を描く天板部２５ａと、この天板部２５ａの両端から、この両端を通る鉛直線に対して内方に折り曲げた補助部２５ｂとからなる。ただし、反射板２５は、天板部１７ａ及び補助部１７ｂの内面に収容されるように、セード本体１７の内面形状よりもわずかに小さく形成されている。なお、反射板２５は、光源１９ａから放射された放射光を反射する素材からなるものであり、しかも、天板部２５ａには、凸凹２６が形成されている。
【００１８】
また、図３に示すように、セード本体１７の長手方向先端側（図３中左側）であって、セード本体１７の内側には、スライド板２７が嵌め込まれている。このスライド板２７は、コの字形であり、先端平面部２７ａと、先端平面部２７ａの両端部に対して直角にしたスライド支持部２７ｂとからなる。そして、スライド支持部２７ｂが、補助部１７ｂの内側において長手方向にスライド可能な寸法関係を維持している。
なお、先端平面部２７ａの内側には、突部２８を設け、図２の収納状態で、光源１９ａの先端を支持する構成にしている。したがって、光源１９ａは、通常、その後端側をソケット１８に支持されるとともに、先端側を突部２８に支持されている。
【００１９】
次に、この実施形態の電気スタンドの作用について説明する。
いま、図示しない電源を入れると、図５に示すように、光源１９ａが光を放射するとともに、光源１９ａから放射された放射光は、光源１９ａの直下に位置する照射対象Ｍに、直接あるいは間接的に到達する。特に、光源１９ａから、水平方向に放射された放射光は、補助部２５ｂにあたって、天板部２５ａに向かって反射する。そして、天板部２５ａに到達した放射光は、天板部２５ａで反射して照射対象Ｍに到達する。したがって、この実施形態の電気スタンドは、放射光の散逸を低減し、光源１９ａの直下に放射光を集中させるので、直下照度を高めることができる。
【００２０】
なお、補助部２５ｂの長さは、照射対象Ｍの範囲や、必要な直下照度に応じて任意に決めればよい。すなわち、補助部２５ｂを長くすると、照射可能な範囲は狭くなるが、その分、散逸していた放射光を光源１９ａの直下に集中させることができるので、直下照度をより高めることができる。
そして、放射光を光源１９ａの直下に集中させるほど、この実施形態の電気スタンドは、従来の電気スタンドに比べて、より優位点が顕著となる。
つまり、図６に示すように、補助部２５ｂを長くすると、光源１９ａから放射された放射光のうち、実線Ｚの軌跡をたどる放射光も、光源１９ａの直下に集中させることができる。
【００２１】
このように、光源１９ａから、卓上側であって、照射対象Ｍから外れた方向に向かって放射された実線Ｚで表す放射光をも、光源１９ａの直下に集中させるためには、図６のように補助部２５ｂを、内方に向かって、より延長させればよい。これに対して、点線で示すように、従来の電気スタンド１におけるセード６を用いて、放射光を直下に集中させるためには、セード６を高さ方向、幅方向どちらにも伸ばさなければならない。
このように、この実施形態の電気スタンドによれば、直下照度を高めつつも、従来に比べて、高さ方向、幅方向どちらにもコンパクトにすることができる。
なお、この実施形態においては、反射板２５を、セード本体１７とは別部材にして設けたが、セード本体１７の内面を、光を反射する素材で形成して、セード本体１７に反射板としての機能をもたせてもよい。この場合には、セード本体１７と反射板２５とが一体的に構成されたこととなる。
【００２２】
また、高さ方向、幅方向どちらにも小型化を実現したこの実施形態の電気スタンドにおいては、光源１９ａと補助部２５ｂとの間隔が小さいため、光源１９ａを指でつまんで、コネクター１９ｂをソケット１８から引き抜くことが難しくなる。
しかし、図３に示すように、この実施形態の電気スタンドにおいては、回転体２４の爪部２４ｂが、溝２０に嵌っているので、コイン溝２４ｃにコイン等を嵌め込んで回せば、爪部２４ｂが間隔Ｌを広げるように作用する。したがって、回転体２４を回転させれば、ソケット１８から光源１９ａ及びコネクター１９ｂを簡単に抜くことができる。
【００２３】
しかも、この実施形態においては、スライド板２７が、長手方向にスライドするので、光源１９ａの先端と、先端平面部２７ａとの間隔が非常に小さい場合でも、光源１９ａが長手方向に抜ける際に、先端平面部２７ａが邪魔にならない。
したがって、セード先端を、光源の先端近くまで位置させても、安全かつ確実に光源の取り外しをすることができるとともに、セードを長手方向にも小型化することができる。
【図面の簡単な説明】
【００２４】
【図１】この実施形態における電気スタンドの全体図である。
【図２】図１の点線部分をｘ方向から見た斜視図である。
【図３】カバー及びスライド板を取り外した状態の斜視図である。
【図４】図２におけるIV―IV線断面図である。
【図５】この実施形態における放射光の軌跡を示す図である。
【図６】この実施形態の電気スタンドと従来の電気スタンドの放射光の軌跡を示す図である。
【図７】従来の電気スタンドの全体図である。
【図８】放射光の軌跡の一例を示す図である。
【図９】放射光の軌跡の他の一例を示す図である。
【符号の説明】
【００２５】
１７    セード本体
２５ａ  天板部
２５ｂ  補助部
２５    反射板
２７    スライド板
Ｎ      鉛直線
【図１】
2007194135.tif 000003
【図２】
2007194135.tif 000004
【図３】
2007194135.tif 000005
【図４】
2007194135.tif 000006
【図５】
2007194135.tif 000007
【図６】
2007194135.tif 000008
【図７】
2007194135.tif 000009
【図８】
2007194135.tif 000010
【図９】
2007194135.tif 000011